(57)【要約】【課題】長さの異なるスピーカ間に配置され、組み合わされる液晶テレビの寸法に合わせ、長さの異なるスピーカを接続して適当な長さの組立式スピーカシステムを構成することができるスピーカの直列接続構造を提供する。【解決手段】スピーカの直列接続構造は、第１のスピーカと第２のスピーカとの間を直列接続するために用いられる。第１のスピーカの端部上に配置され、表面上に突出部３１１が設けられ、突出部３１１の外縁上には、複数の隆起部３１１１が設けられる係合部材３１と、第２のスピーカの端部上に配置され、表面は、中空開口３２１を有し、中空開口３２１の内縁には、係合部材３１の複数の隆起部３１１１に対応する複数の傾斜状の位置決め部３２１１及び複数の開口３２１２が設けられる位置決め部材３２とを備える。【選択図】図２
0003166087.tif 000002
【実用新案登録請求の範囲】
【請求項１】
第１のスピーカと第２のスピーカとの間を直列接続するために用いられるスピーカの直列接続構造であって、
前記第１のスピーカの端部上に配置され、表面上に突出部が設けられ、前記突出部の外縁上には、複数の隆起部が設けられる係合部材と、
第２のスピーカの端部上に配置され、表面は、中空開口を有し、前記中空開口の内縁には、前記係合部材の複数の隆起部に対応する複数の傾斜状の位置決め部及び複数の開口が設けられる位置決め部材と、を備え、
前記係合部材の突出部の複数の隆起部は、前記位置決め部材の中空開口の複数の開口に対応して挿入され、前記係合部材又は前記位置決め部材が回転されることにより、前記係合部材の突出部の複数の隆起部は、前記位置決め部材の中空開口の複数の位置決め部上に位置決めされ、これにより、前記第１のスピーカと前記第２のスピーカとが互いに直列接続されることを特徴とするスピーカの直列接続構造。
【請求項２】
前記係合部材は、前記係合部材表面の辺縁上に複数の螺合孔が設けられることにより、前記第１のスピーカの端部上に固定されることを特徴とする請求項１に記載のスピーカの直列接続構造。
【請求項３】
前記位置決め部材は、前記位置決め部材表面の辺縁上に複数の螺合孔が設けられることにより、前記第２のスピーカの端部上に固定されることを特徴とする請求項１に記載のスピーカの直列接続構造。
【考案の詳細な説明】
【技術分野】
【０００１】
本考案は、スピーカの直列接続構造に関し、特に、長さの異なるスピーカ間に用いられ、組立及び分解に便利な組立式スピーカシステムを構成することができるスピーカの直列接続構造に関する。
【背景技術】
【０００２】
近年、壁面に設置することが可能な薄型で大型の液晶テレビが普及している。そこで、各音響機器メーカーは、大型の液晶テレビに組み合わせて用いるサウンドバーと呼ばれる軽くて薄いスピーカ（以下、「サウンドバー」という）を次々と生産販売している。サウンドバーは、複数のフロントスピーカが同一平面上に配置される。また、単一のサウンドバー（Ｓｏｕｎｄ  Ｂａｒ）から放出される音声は、大型の液晶テレビの画面と一致した横方向に分布されるため、従来の液晶テレビの左右両側に配置されるスピーカより音響効果が優れる。
【０００３】
図１を参照する。図１に示すように、一般に、サウンドバー１は、液晶テレビ２に組み合わせて用いられ、液晶テレビ２自身が有する音響効果を大幅に改善することができる。また、サウンドバー１は、横幅が十分に長いため、スピーカ（右、フロント及び左）の音響効果に優れる。また、サウンドバー１は、所定の横幅を有するため、左右の音像を定位させることができる。一般に、サウンドバー１は、３７〜５０インチの液晶テレビ２に組み合わされるものが多く、所定の寸法の液晶テレビ２専用の付属部品として生産される。即ち、寸法の大きい液晶テレビ２には、長さの長いサウンドバー１を使用しなければ、優れた音響効果及びサラウンド効果を実現することができない。
【０００４】
上述したことから分かるように、サウンドバー１は、適用される寸法の液晶テレビ２に組み合わせた場合、最も優れた音響効果を実現することができる。しかし、メーカーにとっては、様々な長さのサウンドバー１を生産する必要があるため、大量生産が困難となり、大きな負担となる。さらに、生産後の完成品は、長さの関係から、輸送にも大きな問題が発生する。また、ユーザが寸法の異なる液晶テレビ２に変えた場合、寸法が固定されたサウンドバー１を新しい液晶テレビ２に組み合わせることができない訳ではないが、外観的にも、音響効果的にも劣ってしまう。
【０００５】
そのため、液晶テレビの寸法に合わせ、長さの異なるスピーカを直列接続して組立式スピーカシステムを構成すれば、上述の従来のサウンドバー１の欠点を解決することができる。
【考案の概要】
【考案が解決しようとする課題】
【０００６】
本考案の主な目的は、長さの異なるスピーカ間に配置され、組み合わされる液晶テレビの寸法に合わせ、長さの異なるスピーカを接続して適当な長さの組立式スピーカシステムを構成することができるスピーカの直列接続構造を提供することにある。
本考案のもう一つの目的は、回転可能な係合構造により、組立及び分解を迅速で簡単に行うことができる組立式スピーカシステムを構成することができるスピーカの直列接続構造を提供することにある。
【課題を解決するための手段】
【０００７】
上記課題を解決するために、第１のスピーカと第２のスピーカとの間を直列接続するために用いられるスピーカの直列接続構造であって、前記第１のスピーカの端部上に配置され、表面上に突出部が設けられ、前記突出部の外縁上には、複数の隆起部が設けられる係合部材と、第２のスピーカの端部上に配置され、表面は、中空開口を有し、前記中空開口の内縁には、前記係合部材の複数の隆起部に対応する複数の傾斜状の位置決め部及び複数の開口が設けられる位置決め部材と、を備え、前記係合部材の突出部の複数の隆起部は、前記位置決め部材の中空開口の複数の開口に対応して挿入され、前記係合部材又は前記位置決め部材が回転されることにより、前記係合部材の突出部の複数の隆起部は、前記位置決め部材の中空開口の複数の位置決め部上に位置決めされ、これにより、前記第１のスピーカと前記第２のスピーカとが互いに直列接続されることを特徴とするスピーカの直列接続構造が提供される。
【０００８】
前記係合部材は、前記係合部材表面の辺縁上に複数の螺合孔が設けられることにより、前記第１のスピーカの端部上に固定されることが好ましい。
【０００９】
前記位置決め部材は、前記位置決め部材表面の辺縁上に複数の螺合孔が設けられることにより、前記第２のスピーカの端部上に固定されることが好ましい。
【考案の効果】
【００１０】
本考案のスピーカの直列接続構造は、従来技術と比較して以下（１）及び（２）の効果を有する。
（１）長さの異なるスピーカ間に本考案の直列接続構造が配置されることにより、組み合わされる液晶テレビの寸法に合わせ、長さの異なるスピーカを接続して適当な長さの組立式スピーカシステムを構成することができる。
（２）組み合わされる液晶テレビの寸法に合わせ、長さの異なるスピーカを接続して適当な長さの組立式スピーカシステムを構成することができる。従って、所定の規格のスピーカを大量生産し、スピーカ上に一対の直列接続構造を配置すれば、組立及び分解を迅速で簡単に行うことができる組立式スピーカシステムを構成することができる。また、本考案のスピーカの直列接続構造により、スピーカシステムの輸送上の問題を低減させることができる。また、ユーザ自身がスピーカシステムを組み立てることもできる。
【図面の簡単な説明】
【００１１】
【図１】従来のサウンドバーを示す斜視図である。
【図２】本考案の一実施形態によるスピーカの直列接続構造を示す分解斜視図である。
【図３】本考案の一実施形態によるスピーカの直列接続構造が使用されたスピーカシステムを示す分解斜視図である。
【図４】本考案の一実施形態によるスピーカの直列接続構造が使用されたスピーカシステムを示す斜視図である。
【図５Ａ】本考案の一実施形態によるスピーカの直列接続構造を接続する状態を示す分解斜視図である。
【図５Ｂ】本考案の一実施形態によるスピーカの直列接続構造を接続する状態を示す分解斜視図である。
【図５Ｃ】本考案の一実施形態によるスピーカの直列接続構造を接続する状態を示す分解斜視図である。
【考案を実施するための形態】
【００１２】
以下、本考案の実施形態について図に基づいて説明する。なお、これによって本考案が限定されるものではない。
【００１３】
本考案は、２つのスピーカ間を直列接続するために用いられるスピーカの直列接続構造を提供するものである。本考案の一実施形態によるスピーカの直列接続構造は、係合部材３１及び位置決め部材３２を有する。係合部材３１の表面には、突出部３１１が設けられる。突出部３１１の外縁上には、複数の隆起部３１１１が設けられる。位置決め部材３２の表面は、中空開口３２１を有する。中空開口３２１の内縁には、係合部材３１の複数の隆起部３１１１に対応する複数の傾斜状の位置決め部３２１１及び複数の開口３２１２が設けられる。係合部材３１及び位置決め部材３２表面の辺縁上には、４つの螺合孔３１２，３２２がそれぞれ設けられる。螺合孔３１２，３２２は、係合部材３１及び位置決め部材３２を異なるスピーカ４，５上にそれぞれ固定するために用いられる。また、係合部材３１の突出部３１１の複数の隆起部３１１１を対応する位置決め部材３２の中空開口３２１の複数の開口３２１２に挿入して回転させることにより、係合部材３１の突出部３１１の複数の隆起部３１１１を位置決め部材３２の中空開口３２１の複数の位置決め部３２１１上に位置決めすることができる。これにより、異なるスピーカ４，５を直列接続することができる。
【００１４】
さらに詳細に述べると、スピーカの両側辺上には、４つの凹孔がそれぞれ設けられる。４つの螺合部材が螺合孔を貫通して凹孔中に螺合されることにより、係合部材及び位置決め部材を異なるスピーカ上に固定することができる。
【００１５】
さらに詳細に述べると、スピーカの内部には、複数のスピーカ単体が収納される。
【００１６】
図２及び図３を参照する。図２及び図３に示すように、本考案の一実施形態によるスピーカの直列接続構造３は、係合部材３１及び位置決め部材３２を有し、第１のスピーカ４と第２のスピーカ５との間に用いられる直列接続機構である。
【００１７】
係合部材３１は、第１のスピーカ４の端部上に配置される。係合部材３１の表面上には、突出部３１１が設けられる。突出部３１１の外縁上には、４つの隆起部３１１１が設けられる。また、係合部材３１表面の辺縁上には、係合部材３１を第１のスピーカ４の端部上に固定するために用いられる４つの螺合孔３１２が設けられる。
【００１８】
位置決め部材３２は、第２のスピーカ５の端部上に配置される。位置決め部材３２の表面は、中空開口３２１を有する。中空開口３２１の内縁には、係合部材３１の４つの隆起部３１１１に対応する４つの傾斜状の位置決め部３２１１及び４つの開口３２１２が設けられる。また、位置決め部材３２表面の辺縁上には、位置決め部材３２を第２のスピーカ５の端部上に固定するために用いられる４つの螺合孔３２２が設けられる。
【００１９】
係合部材３１の突出部３１１を対応する位置決め部材３２の開口３２１２に挿入し、位置決め部材３２が接続された第２のスピーカ５を回転させて係合する。これにより、係合部材３１の突出部３１１を位置決め部材３２の位置決め部３２１１上に位置決めし、第１のスピーカ４と第２のスピーカ５とを直列接続することができる（図４、図５Ａ、図５Ｂ及び図５Ｃを合わせて参照）。
【００２０】
ここで、第１のスピーカ４の内部には、複数のスピーカ単体４２が収納される。
【００２１】
ここで、第１のスピーカ４の側辺上には、４つの凹孔４１が設けられる。４つの螺合部材（図示せず）が係合部材３１の螺合孔３１２を貫通し、第１のスピーカ４の凹孔４１中に螺合されることにより、係合部材３１を第１のスピーカ４の端部上に固定することができる。
【００２２】
ここで、第２のスピーカ５の内部には、複数のスピーカ単体５２が収納される。
【００２３】
ここで、第２のスピーカ５の側辺上には、４つの凹孔５１が設けられる。４つの螺合部材（図示せず）が位置決め部材３２の螺合孔３２２を貫通し、第２のスピーカ５の凹孔５１中に螺合されることにより、位置決め部材３２を第２のスピーカ５の端部上に固定することができる。
【００２４】
上述したことから分かるように、本考案のスピーカの直列接続構造は、従来技術と比較して以下（１）及び（２）の長所を有する。
（１）長さの異なるスピーカ間に本考案の直列接続構造が配置されることにより、組み合わされる液晶テレビの寸法に合わせ、長さの異なるスピーカを接続して適当な長さの組立式スピーカシステムを構成することができる。
（２）組み合わされる液晶テレビの寸法に合わせ、長さの異なるスピーカを接続して適当な長さの組立式スピーカシステムを構成することができる。従って、所定の規格のスピーカを大量生産し、スピーカ上に一対の直列接続構造を配置すれば、組立及び分解を迅速で簡単に行うことができる組立式スピーカシステムを構成することができる。また、本考案のスピーカの直列接続構造により、スピーカシステムの輸送上の問題を低減させることができる。また、ユーザ自身がスピーカシステムを組み立てることもできる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  サウンドバー
２  液晶テレビ
３  スピーカの直列接続構造
４  第１のスピーカ
５  第２のスピーカ
３１  係合部材
３２  位置決め部材
４１  凹孔
４２  スピーカ単体
５１  凹孔
５２  スピーカ単体
３１１  突出部
３１２  螺合孔
３２１  中空開口
３２２  螺合孔
３１１１  隆起部
３２１１  位置決め部
３２１２  開口
【図１】
0003166087.tif 000003
【図２】
0003166087.tif 000004
【図３】
0003166087.tif 000005
【図４】
0003166087.tif 000006
【図５Ａ】
0003166087.tif 000007
【図５Ｂ】
0003166087.tif 000008
【図５Ｃ】
0003166087.tif 000009